(57)【要約】【課題】  機能拡張のための媒体を挿入するカードスロット実装に伴う大型化を抑制することのできる情報処理装置を提供する。【解決手段】  本体筐体１１の正面部１１０と、正面部１１０と略垂直をなす右側面部１１１とを切欠いてカードスロット１１７を設ける。カードスロット１１７の短手方向の長さは、カード媒体２０の短手方向の長さよりも短く、カード媒体２０のカードスロット１１７への挿入時には、カード媒体２０が右側面部１１１を貫通する。【選択図】      図１
2007094909.tif 000002
【特許請求の範囲】
【請求項１】
機能拡張のためのカード型媒体が挿入される情報処理装置において、
前記情報処理装置の側面をなす第１の側面部及び第２の側面部が接する端部付近に設けられ、前記カード型媒体が挿入されるスロットと、
前記第１の側面部に対向する前記スロットの端部であって、前記カード型媒体を挿入する挿入方向の端部に設けられる、前記カード型媒体が接続されるコネクタと、
前記第１の側面部及び前記第２の側面部が接する端部付近に、前記第１の側面部及び前記第２の側面部に一体として形成され、前記スロットに前記カード型媒体を挿入するための開口部と
を備え、
前記カード型媒体の前記コネクタへの接続時に、前記カード型媒体は前記第２の側面部を貫通すること
を特徴とする情報処理装置。
【請求項２】
請求項１記載の情報処理装置において、
前記カード型媒体の非挿入時に、前記第２の側面部の切欠を閉塞する閉塞部
をさらに備えることを特徴とする情報処理装置。
【請求項３】
前記閉塞部は、前記第２の側面部に、前記カード型媒体の挿入方向に摺動可能に設けられること
を特徴とする請求項２記載の情報処理装置。
【請求項４】
前記コネクタは、ＥｘｐｒｅｓｓＣａｒｄ／５４に準拠した前記カード型媒体が接続されること
を特徴とする請求項１乃至請求項３のいずれか１項記載の情報処理装置。
【請求項５】
請求項１乃至請求項３のいずれか１項記載の情報処理装置において、
本体筐体と、
前記本体筐体に対し、回動部で回動可能に取り付けられた表示筐体部と
をさらに備え、
前記第１の側面部及び前記第２の側面部は、其々前記表示筐体部の側面を成し、
前記第１の側面部又は前記第２の側面部は、前記回動部の回動軸と対向する前記表示筐体部の側面を成すこと
を特徴とする情報処理装置。
【請求項６】
前記カード型媒体の前記コネクタへの接続時に、前記カード型媒体は前記第１の側面部を貫通すること
を特徴とする請求項５記載の情報処理装置。
【請求項７】
請求項１乃至請求項３のいずれか１項記載の情報処理装置において、
本体筐体と、
前記本体筐体に対し、回動部で回動可能に取り付けられた表示筐体部と
をさらに備え、
前記第１の側面部及び前記第２の側面部は、其々前記本体筐体部の側面を成し、
前記第１の側面部又は前記第２の側面部は、前記回動部の回動軸と対向する前記本体筐体部の側面を成すこと
を特徴とする情報処理装置。
【発明の詳細な説明】
【技術分野】
【０００１】
本発明は、例えばＥｘｐｒｅｓｓＣａｒｄ／５４等に準拠したカード型媒体が挿入される情報処理装置に関する。
【背景技術】
【０００２】
近年、例えばＰＣ（Ｐｅｒｓｏｎａｌ  Ｃｏｍｐｕｔｅｒ）等の情報処理装置は多機能化が急速に進んでおり、ＰＣカードやオプションカード、ＥｘｐｒｅｓｓＣａｒｄ／５４、ＥｘｐｒｅｓｓＣａｒｄ／３４等を接続して機能拡張を図ることができるＰＣが普及している（例えば、特許文献１参照）。
【０００３】
特許文献１には、ＰＣ本体の機能を拡張するために、２つのコネクタが実装されるオプションカードが挿入される電子機器の筐体構造について記載されている。特許文献１記載の筐体構造では、オプションカードの取出口を筐体の二面に持つことで、種々のオプションカードを実装可能としている。
【０００４】
尚、ＥｘｐｒｅｓｓＣａｒｄはＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）がＰＣカードの後継として規格を策定したものである。
【特許文献１】特開平７−１７５５５４号公報
【発明の開示】
【発明が解決しようとする課題】
【０００５】
しかしながら、機能拡張のために例えばＥｘｐｒｅｓｓＣａｒｄ／５４等の媒体が挿入されるカードスロットを設けると、装置が大型化する問題がある。特に携帯性が重視されるノート型のＰＣでは装置の小型化への要求が強く、この問題は顕著となる。
【０００６】
尚、特許文献１記載の情報処理装置は、オプションカードの取出口を二面に持っているが、オプションカード全体が筐体内に挿入されるようになっており、装置の小型化を図ることはできない。
【０００７】
そこで本発明は、機能拡張のための媒体を挿入するカードスロット実装に伴う大型化を抑制することのできる情報処理装置を提供することを目的とする。
【課題を解決するための手段】
【０００８】
上記目的を達成するために、本発明の情報処理装置は、機能拡張のためのカード型媒体が挿入される情報処理装置において、前記情報処理装置の側面をなす第１の側面部及び第２の側面部が接する端部付近に設けられ、前記カード型媒体が挿入されるスロットと、前記第１の側面部に対向する前記スロットの端部であって、前記カード型媒体を挿入する挿入方向の端部に設けられる、前記カード型媒体が接続されるコネクタと、前記第１の側面部及び前記第２の側面部が接する端部付近に、前記第１の側面部及び前記第２の側面部に一体として形成され、前記スロットに前記カード型媒体を挿入するための開口部とを備え、前記カード型媒体の前記コネクタへの接続時に、前記カード型媒体は前記第２の側面部を貫通することを特徴とする。
【発明の効果】
【０００９】
本発明によれば、機能拡張のための媒体を挿入するカードスロット実装に伴う大型化を抑制することのできる情報処理装置を提供することができる。
【発明を実施するための最良の形態】
【００１０】
以下、本発明の情報処理装置について、図面を参照しながら説明する。
【実施例１】
【００１１】
図１は、本発明の情報処理装置の実施例に係るノートＰＣを示す斜視図である。ノートＰＣ１０には、ＥｘｐｒｅｓｓＣａｒｄ／５４に準拠したカード媒体２０が装着可能となっている。図１（ａ）はカード媒体２０非装着時のノートＰＣ１０の斜視図、図１（ｂ）はカード媒体２０装着時のノートＰＣ１０の斜視図である。
【００１２】
ノートＰＣ１０は、大きく分けて本体筐体１１と、表示筐体１２とから構成される。表示筐体１２は、本体筐体１１に対して回動部１３で回動自在に取り付けられる。
【００１３】
本体筐体１２には、ＣＰＵ（Ｃｅｎｔｒａｌ  Ｐｒｏｃｅｓｓｉｎｇ  Ｕｎｉｔ）やメモリ等が搭載されるマザーボード（図示せず）が実装される。本体筐体１２は、略直方体形状を成し、キーボード１１０ａが搭載される上面１１０と、上面１１０に対向する下面１１１とを備える。更に、上面１１０及び下面１１１と略垂直を為す側面として、回動部１３の回動軸と平行な正面部１１２と、正面部１１２に対向する背面部１１３と、正面部１１２及び背面部と略垂直を成す右側面部１１４と、右側面部１１４に対向し、正面部１１２及び背面部１１３に略垂直に設けられる左側面部１１５とを備える。尚、正面部１１２及び右側面部１１４は、正面部１１２及び右側面部１１４の一辺をなす端部１１６で接する。
【００１４】
正面部１１２及び右側面部１１４は端部１１６の一部で切欠かれ、正面部１１２には正面切欠部１１２ａが、右側面部１１４には右側面切欠部１１４ａがそれぞれ形成される。さらに、正面切欠部１１２ａ及び右側面切欠部１１４ａから本体筐体１１内側に向けて、カード媒体２０が挿入されるカードスロット１１７が設けられている。
【００１５】
尚、カードスロット１１７の正面部１１２と対向する面には、カード媒体２０が接続されるコネクタ（図１には図示せず、図２参照）が設けられている。即ち、カード媒体２０は正面切欠部１１２ａから挿入され（図１（ａ）矢印Ａ方向）、コネクタに接続される。
【００１６】
そして、図１（ａ）に示すように、右側面部１１４には、カード媒体２０の非挿入時に右側面切欠部１１４ａを覆うようにシャッター１１８が取り付けられている。シャッター１１８は、右側面部１１４の奥行方向に摺動可能であり、図１（ｂ）に示すように、カード媒体２０のカードスロット１１７への挿入の際に、シャッター１１８はカード媒体２０に押されて摺動するようになっている。
【００１７】
また、図１（ｂ）に示すように、カードスロットの幅（即ち、正面切欠部１１２ａの長手方向の距離）は、カード媒体２０の幅よりも短い。これにより、カード媒体２０装着時には、カード媒体２０の一部が本体筐体１１の右側面部１１４の外部に突出することとなる。換言すると、カード媒体２０の装着時には、カード媒体２０は右側面部１１４を貫通する。
【００１８】
表示筐体１２は、略直方体形状を成し、ＬＣＤ（Ｌｉｑｕｉｄ  Ｃｒｙｓｔａｌ  Ｄｉｓｐｌａｙ）１２０ａが実装される表示筐体下面部１２０と、表示筐体下面部１２０に対向する表示筐体上面部１２１とを備える。更に、表示筐体下面部１２０及び表示筐体上面部１２１と略垂直を為す側面として、回動部１３の回動軸に並行する表示筐体正面部１２２と、表示筐体正面部１２２に対向する表示筐体背面部１２３と、表示筐体正面部１２２及び表示筐体背面部１２３に略垂直に設けられる表示筐体右側面部１２４と、表示筐体右側面部１２４に対向し、表示筐体正面部１２２及び表示筐体背面部１２３に略垂直に設けられる表示筐体左側面部１２５とを備える。
【００１９】
図２は、カード媒体２０のカードスロット１１７への挿入について示す図である。図２（ａ）はカード媒体２０の非装着時、図２（ｂ）はカード媒体２０の装着時を示す図である。
【００２０】
カード媒体２０は、ノートＰＣ１０が有するコネクタに接続されるコネクタ部２０２と、コネクタ部２０２と対向するカード媒体正面部２０３と、コネクタ部２０２及びカード媒体正面部２０３に其々一辺で接するカード媒体左側面部２０４と、カード媒体正面部２０３と一辺で接し、カード媒体左側面部２０４に対向するカード媒体第１右側面部２０５と、コネクタ部２０２と一辺で接し、カード媒体左側面部２０４に対向するカード媒体第２右側面部２０６とを備える。
【００２１】
カード媒体２０は、先述の通りＥｘｐｒｅｓｓＣａｒｄ／５４に準拠している。カード媒体２０の長手方向の長さ、即ちカード媒体左側面部２０４の長手方向の長さ（図２（ａ）の距離ａ）は７５ｍｍ、コネクタ部２０２の長手方向の長さ（図２（ａ）の距離ｂ）は３４ｍｍ、カード媒体正面部２０３の長手方向の長さ（図２（ａ）の距離ｃ）は５４、カード媒体２０の厚さ、即ちコネクタ部２０２、カード媒体正面部２０３、カード媒体左側面部２０４、カード媒体第１右側面部２０５、及びカード媒体第２右側面部２０６の短手方向の長さ（図２（ａ）の垂直方向、図２には図示せず）は５ｍｍである。
【００２２】
即ち、コネクタ部２０２の長手方向の長さ（図２（ａ）の距離ｂ）よりもカード媒体正面部２０３の長手方向の長さ（図２（ａ）の距離ｃ）の方が長く、カード媒体第１右側面部２０５方向に突出した形状となっている。この部分を突出部２０１とする。
【００２３】
尚、カード媒体２０は、情報処理装置１０の機能拡張のために装着されるものであり、内部にメモリやＨＤＤを有することにより記憶媒体としての機能や、無線通信のアンテナとしての機能等をノートＰＣ１０に提供することができる。
【００２４】
先述の通り、カードスロット１１７には、正面部１１２と対向するようにコネクタ１１９が設けられている。コネクタ１１９にはカード媒体２０のコネクタ部２０２が接続される。
【００２５】
更に、右側面部１１４を切欠く右側面切欠部１１４ａを覆うように、シャッター１１８が右側面部１１４に取り付けられる。シャッター１１８はカード媒体２０のカードスロット１１７への挿入（図２（ａ）の矢印Ａ方向）の際に、突出部２０１がシャッター１１８を押し、シャッター１１８は右側面部１１１の奥行方向に摺動する（図２（ａ）の矢印Ｂ方向）。
【００２６】
先述の通り、カードスロット１１７の幅、即ち正面切欠部１１２ａの長手方向の距離は、カード媒体２０の幅、即ちカード媒体正面部２０３の長手方向の長さ（図２（ａ）の距離ｃ）よりも短いので、カード媒体２０のコネクタ１１５への接続時には、図２（ｂ）に示すように、カード媒体２０の突出部２０１の一部が右側面部１１４よりも外部に突出することとなり、右側面部１１４をカード媒体２０が貫通する。
【００２７】
以上説明したように、本実施例によれば、カード媒体２０を挿入するカードスロット１１７を本体筐体１１の正面部１１２と右側面部１１４とが接する端部１１６に設け、カード媒体２０のコネクタ１１９への装着時に、カード媒体２０の一部が右側面部１１４の外部に突出するようにしている。これにより、カード媒体２０全体が本体筐体１１の中に収まるようにする場合と比べてカードスロット１１７の大きさを小さく抑えることができ、結果、カードスロット１１７実装に伴う大型化を抑制することができる。
【００２８】
また、カードスロット１１７を、本体筐体１１の正面部１１２の中央に設ける場合と比して、本体筐体１１内部に実装されるマザーボードを効率よく配置することができるようになる。
【００２９】
カード媒体２０の一部が本体筐体１１外部に突出するので、例えばこの突出する部分にアンテナが埋め込まれているカード媒体２０の場合には、無線の受信感度の向上を図ることができる。
【００３０】
カード媒体２０の一部が本体筐体１１０の外部に突出することで、ユーザは当該突出部２０１を持ってカード媒体２０をノートＰＣ１０から取り外せばよく、カード媒体２０全体が筐体内に収まる場合に必要となる、カード媒体２０を取り外すための機構を無くすことも可能となる。更に、カード媒体２０の突出する部分を例えば人差し指で押し出すことによりカード媒体２０を取り出すことができるので、カード媒体２０を引っ張り出す場合よりも取り出しやすい。
【００３１】
本実施例では、右側面部１１４の切欠を覆うシャッター１１８を設ける。これにより、例えば埃等の異物がカードスロット１１７内に入ることを抑制することができる。
【００３２】
尚本実施例では、ＥｘｐｒｅｓｓＣａｒｄ／５４に準拠したカード媒体２０を例に説明したが、これに限られるものではなく、コネクタの幅よりも広い幅を持つ媒体が挿入される情報処理装置であれば良い。
【００３３】
また、本実施例ではカードスロット１１７は正面部１１２及び右側面部１１４を切欠いて設けられたが、他の側面を切欠いてカードスロット１１７が設けても良く、例えば図３のように正面部１１２と、左側面部１１５とを切欠いてカードスロット１１７を設けてもよい。
【００３４】
さらに、カードスロット１１７は表示筐体部１２に設けてもよく、図４に示すように、表示筐体正面部１２２と、表示筐体右側面部１２４とを切欠いて設けたり、図５に示すように、表示筐体正面部１２２と、表示筐体左側面部１２５とを切欠いて設けたりしても良い。
【００３５】
これらの場合であっても、カード媒体２０全体が表示筐体１２の中に収まるようにする場合と比べてカードスロット１１７の大きさを小さく抑えることができ、結果、カードスロット１１７実装に伴う大型化を抑制することができる。
【００３６】
また、カード媒体２０の一部が筐体外部に突出するので、例えばこの突出部分にアンテナが埋め込まれているカード媒体２０の場合には、無線の受信感度の向上を図ることができる。特に、ノートＰＣ１０使用時には、表示筐体１２が本体筐体１１より開放されるので、表示筐体１２にカードスロット１１７を設けることにより放射特性の良好な位置に配されることとなる。
【００３７】
さらに、図４に示すように、カード媒体２０の装着時に、カード媒体２０が表示筐体右側面部１２４のみならず、表示筐体正面部１２２も貫通するようにカードスロット１１７を設ける、即ち２つの側面部をカード媒体２０が貫通するように設ければ、表示筐体右側面部１２４の外部に突出する部分に垂直偏波のアンテナを、表示筐体正面部１２２の外部に突出する部分に水平偏波のアンテナを設けることにより、受信感度を向上させることが可能となる。
【図面の簡単な説明】
【００３８】
【図１】本発明の実施例１に係るノートＰＣの斜視図。
【図２】本発明の実施例１に係るノートＰＣのカードスロットへのカード媒体の挿入について示す図。
【図３】本発明の変形例に係るノートＰＣの斜視図。
【図４】本発明の変形例に係るノートＰＣの斜視図。
【図５】本発明の変形例に係るノートＰＣの斜視図。
【符号の説明】
【００３９】
１０・・・ノートＰＣ
１１・・・本体筐体
１２・・・表示筐体
１３・・・回動部
２０・・・カード媒体
１１０・・・上面部
１１０ａ・・・キーボード
１１１・・・下面部
１１２・・・正面部
１１３・・・背面部
１１４・・・右側面部
１１５・・・左側面部
１１６・・・端部
１１７・・・カードスロット
１１８・・・シャッター
１１９・・・コネクタ
１２０・・・表示筐体下面部
１２０ａ・・・ＬＣＤ
１２１・・・表示筐体上面部
１２２・・・表示筐体正面部
１２３・・・表示筐体背面部
１２４・・・表示筐体右側面部
１２５・・・表示筐体左側面部
２０１・・・突出部
２０２・・・コネクタ部
２０３・・・カード媒体正面部
２０４・・・カード媒体左側面部
２０５・・・カード媒体第１右側面部
２０６・・・カード媒体第２右側面部
【図１】
2007094909.tif 000003
【図２】
2007094909.tif 000004
【図３】
2007094909.tif 000005
【図４】
2007094909.tif 000006
【図５】
2007094909.tif 000007